(57)【要約】【課題】暖房パネルが設けられた建物ユニット同士が直交した状態で配置された場合において、所定間隔で釘打ち可能部が多数連続して配置することで、フローリングを建物ユニット間で連続して敷設可能とする床暖房パネル構造を得る。【解決手段】第１床暖房パネルが敷設された一方の建物ユニットと、第２床暖房パネルが敷設された他方の建物ユニットは、直交した状態で配置されている。第１床暖房パネル及び第２床暖房パネルは平面視での外形が矩形状に形成されており、各床暖房パネルの長辺側が建物ユニットの短辺側に沿うように敷設されている。このため、長辺方向に沿った釘打ち可能部が設けられた第１床暖房パネルと短辺方向に沿った釘打ち可能部が設けられている第２床暖房パネル同士も直交した状態で配置される。これにより、第１床暖房パネルの釘打ち可能部と第２床暖房パネルの釘打ち可能部は、同じ向きに揃いかつ所定間隔で多数連続して配置される。【選択図】図２
2014149125.tif 000002
【特許請求の範囲】
【請求項１】
隣り合う一方の建物ユニットの床部に設けられると共に、平面視での外形が矩形状に形成され、内部に蛇行するように配置された放熱体と、当該放熱体を収容する溝と、隣り合う当該溝同士の間に配置された釘打ち可能部と、を備え、パネル長辺方向に沿った前記溝の直線部と当該釘打ち可能部とが平行に配置された第１床暖房パネルと、
前記一方の建物ユニットに隣接しかつ直交した状態で配置された他方の建物ユニットの床部に設けられると共に、平面視での外形が矩形状に形成され、内部に蛇行するように配置された放熱体と、当該放熱体を収容する溝と、隣り合う当該溝同士の間に前記第１床暖房パネルの前記釘打ち可能部と略同一の向きで配置された釘打ち可能部と、を備え、パネル短辺方向に沿った前記溝の直線部と当該釘打ち可能部とが平行に配置された第２床暖房パネルと、
を備えた床暖房パネル構造。
【請求項２】
前記第１床暖房パネルの前記釘打ち可能部と前記第２床暖房パネルの前記釘打ち可能部は、平行に配置されている、
請求項１に記載の床暖房パネル構造。
【請求項３】
前記第１床暖房パネルと前記第２床暖房パネルは、直交した状態で配置されている、
請求項１又は請求項２に記載の床暖房パネル構造。
【請求項４】
前記釘打ち可能部は、前記第１床暖房パネル及び前記第２床暖房パネルの表面板に施された色彩により識別可能とされている、
請求項１〜請求項３のいずれか一項に記載の床暖房パネル構造。
【請求項５】
前記第１床暖房パネル及び前記第２床暖房パネルは、前記建物ユニットの床梁に固定されている、
請求項１〜請求項４のいずれか一項に記載の床暖房パネル構造。
【請求項６】
隣り合う前記釘打ち可能部の間隔は一定とされている、
請求項１〜請求項５のいずれか一項に記載の床暖房パネル構造。
【請求項７】
前記第２床暖房パネルにおける第２床暖房大パネルは、その中心部にパネル長辺方向に沿って釘打ち可能部を備えた、
請求項１〜請求項６のいずれか一項に記載の床暖房パネル構造。
【請求項８】
前記第１床暖房パネルと前記第２床暖房パネルとは、同一のサイズにされている、
請求項１〜請求項７のいずれか一項に記載の床暖房パネル構造。
【発明の詳細な説明】
【技術分野】
【０００１】
本発明は、床暖房パネル構造に関する。
【背景技術】
【０００２】
下記特許文献１には、温水パイプで加温される床暖房用パネルが開示されている。この床暖房パネルには、その上面に敷設されるフローリングの板材を釘で固定するための小根太が、フローリングの長手方向と直角に交差する方向に埋め込まれている。これにより、床暖房パネル設置現場における現地付けの小根太を極力不要にできる。
【先行技術文献】
【特許文献】
【０００３】
【特許文献１】特開２０００−２９７９４３号公報
【発明の概要】
【発明が解決しようとする課題】
【０００４】
しかしながら、上記先行技術による場合、サイズ違いで複数存在する温水マットにおいて、小根太はすべて温水マットの幅方向に沿って配置されており、同一の向きとなっている。
【０００５】
ここで、隣り合う第１建物ユニットと第２建物ユニットにおいて、各々の建物ユニットに床暖房パネルを敷設しかつ建物ユニット同士を直交した状態で配置させる場合、第１建物ユニットの温水マットと第２建物ユニットの温水マットも直交した状態で配置される。これにより、温水マット内部に設けられ、温水マットの幅方向と平行に配置された小根太も直交した状態で配置される。従って、温水マットの上面にフローリングを第１ユニットと第２ユニットで同じ向きに敷設する場合、第１ユニットでフローリングの長手方向を釘打ち可能部材と直交した状態で配置しても、第２ユニットではフローリングの長手方向と釘打ち可能部材が平行となる。そのため、第２ユニット側ではフローリングの長手方向端部の釘打ち部と、床暖房パネルの釘打ち可能部が重ならず、釘打ちが不可となる場合がある。
【０００６】
本発明は上記事実を考慮し、床暖房パネルが設けられた建物ユニット同士が直交した状態で配置された場合において、所定間隔で釘打ち可能部が多数連続して配置することで、フローリングを建物ユニット間で連続して敷設可能とする床暖房パネル構造を得ることが目的である。
【課題を解決するための手段】
【０００７】
請求項１記載の発明に係る床暖房パネル構造は、隣り合う一方の建物ユニットの床部に設けられると共に、平面視での外形が矩形状に形成され、内部に蛇行するように配置された放熱体と、当該放熱体を収容する溝と、隣り合う当該溝同士の間に配置された釘打ち可能部と、を備え、パネル長辺方向に沿った前記溝の直線部と当該釘打ち可能部とが平行に配置された第１床暖房パネルと、前記一方の建物ユニットに隣接しかつ直交した状態で配置された他方の建物ユニットの床部に設けられると共に、平面視での外形が矩形状に形成され、内部に蛇行するように配置された放熱体と、当該放熱体を収容する溝と、隣り合う当該溝同士の間に前記第１床暖房パネルの前記釘打ち可能部と略同一の向きで配置された釘打ち可能部と、を備え、パネル短辺方向に沿った前記溝の直線部と当該釘打ち可能部とが平行に配置された第２床暖房パネルと、を備えていることを特徴としている。
【０００８】
請求項２記載の発明に係る床暖房パネル構造は、請求項１に記載の床暖房パネルにおいて、前記第１床暖房パネルの前記釘打ち可能部と、前記第２床暖房パネルの前記釘打ち可能部は、平行に配置されている、ことを特徴としている。
【０００９】
請求項３記載の発明に係る床暖房パネル構造は、請求項１又は請求項２に記載の床暖房パネル構造において、前記第１床暖房パネルと前記第２床暖房パネルは、直交した状態で配置された、ことを特徴としている。
【００１０】
請求項４記載の発明に係る床暖房パネル構造は、請求項１〜請求項３のいずれか一項に記載の床暖房パネル構造において、前記釘打ち可能部は、前記第１床暖房パネル及び前記第２床暖房パネルの表面板に施された色彩により識別可能とされている、ことを特徴としている。
【００１１】
請求項５記載の発明に係る床暖房パネル構造は、請求項１〜請求項４のいずれか一項に記載の床暖房パネル構造において、前記第１床暖房パネル及び前記第２床暖房パネルは、前記建物ユニットの床梁に固定されている、ことを特徴としている。
【００１２】
請求項６記載の発明に係る床暖房パネル構造は、請求項１〜請求項５のいずれか一項に記載の床暖房パネル構造において、隣り合う前記釘打ち可能部の間隔は一定とされている、ことを特徴としている。
【００１３】
請求項７記載の発明に係る床暖房パネル構造は、請求項１〜請求項６のいずれか一項に記載の床暖房パネル構造において、前記第２床暖房パネルにおける第２床暖房大パネルは、その中心部にパネル長辺方向に沿って釘打ち可能部を備えた、ことを特徴としている。
【００１４】
請求項８記載の発明に係る床暖房パネル構造は、請求項１〜請求項７のいずれか一項に記載の床暖房パネル構造において、前前記第１床暖房パネルと前記第２床暖房パネルとは、同一のサイズにされている、ことを特徴としている。
【００１５】
請求項１記載の本発明によれば、第１床暖房パネルが敷設された一方の建物ユニットと、第２床暖房パネルが敷設された他方の建物ユニットは、直交した状態で配置されている。つまり、隣り合う複数の建物ユニットにおいて、一方の建物ユニットの短辺側（短手方向）と、他方の建物ユニットの長辺側（長手方向）が接する状態で配置されている（逆の場合でも可）。ここで、一般に第１床暖房パネル及び第２床暖房パネルは平面視での外形が矩形状に形成されており、各床暖房パネルの長辺側が建物ユニットの短辺側に沿うように敷設されている。このため、第１床暖房パネルと第２床暖房パネル同士も直交した状態で配置される。そして、第１床暖房パネルは、長辺方向に沿った溝の直線部と、それと平行に釘打ち可能部が設けられ、第２床暖房パネルは、短辺方向に沿った溝の直線部と、それと平行に釘打ち可能部が設けられている。これにより、第１床暖房パネルの釘打ち可能部と第２床暖房パネルの釘打ち可能部は、同じ向きに揃いかつ所定間隔で多数連続して配置される。
【００１６】
また、一般に、床暖房パネルの上面にフローリングを敷設する際は、フローリングの長手方向と床暖房パネルの釘打ち可能部が直交した状態となるように配置する。これにより、フローリングの長手方向端部の釘打ち部と床暖房パネルの釘打ち可能部とが重なる。従って、釘打ちが可能となり、フローリングが配設できる。ここで、第１床暖房パネルの上面で床暖房パネルの釘打ち可能部と直交する向きに配置したフローリングを、同じ向きで第２床暖房パネルの上面に配置しても、フローリングの長手方向と床暖房パネルの釘打ち可能部は直交した状態となる。従って、第１床暖房パネルの上面と第２床暖房パネルの上面とでフローリングの向きを変更することなく連続して敷設することが可能となる。
【００１７】
請求項２記載の本発明によれば、第１床暖房パネルの釘打ち可能部と、第２床暖房パネルの釘打ち可能部は平行に配置される。従って、床暖房パネルの上面に同一の向きでフローリングを敷設する際、第１床暖房パネルの上面と、第２床暖房パネルの上面とで、フローリングと中間部が直交した状態となるように配置することが可能となる。つまり、第１床暖房パネルの上面と第２床暖房パネルの上面とでフローリングの向きを変更する必要がない。
【００１８】
請求項３記載の本発明によれば、第１床暖房パネルと第２床暖房パネルは直交した状態で配置される。従って、床暖房パネルの上面にフローリングを敷設する際、第１床暖房パネルの上面と第２床暖房パネルの上面とでフローリングを連続して敷設することが可能となる。
【００１９】
請求項４記載の本発明によれば、表面板の釘打ち可能部に対応した箇所は、施された色彩により識別可能とされている。従って、フローリングを敷設する際に、釘打ち可能部が容易に認識でき、釘打ち不可部分である放熱体が埋設された部位に誤って釘を打つことがない。
【００２０】
請求項５記載の本発明によれば、第１床暖房パネル及び第２床暖房パネルは、建物ユニットの床梁に固定されている。従って、各床暖房パネルを建物ユニットに敷設する際は、建物ユニットを製造する工場にて同時に敷設することが可能となる。
【００２１】
請求項６記載の本発明によれば、第１床暖房パネルに設けられた釘打ち可能部及び第２床暖房パネルに設けられた釘打ち可能部同士は、一定の間隔で設置されている。従って、フローリングを敷設する際は、自動釘打ち機等で施工することが可能となる。
【００２２】
請求項７記載の本発明によれば、床暖房パネルが建物ユニットに敷設される場合、建物ユニットの床梁及び小梁にビス締めにて固定される。このビス締め位置は、床暖房パネルの釘打ち部に設定されるが、第２床暖房大パネルは、床暖房パネルの中心部にパネル長辺方向に沿って釘打ち可能部を備えたことにより、長辺方向にビス締め付け点のピッチが異なる自動ビス締め機も使用可能となる。
【００２３】
請求項８記載の本発明によれば、第１床暖房パネルと第２床暖房パネルとは、大小共に同一のサイズとなっている。このため、第１床暖房パネルと第２床暖房パネルを建物ユニットに敷設する際は、同じ固定点で固定することが可能となる。
【発明の効果】
【００２４】
請求項１記載の本発明に係る床暖房パネル構造は、床暖房パネルが設けられた建物ユニット同士が直交した状態で配置された場合において、所定間隔で釘打ち可能部が多数連続して配置することで、フローリングを建物ユニット間で連続して敷設ができるという優れた効果を有する。
【００２５】
請求項２記載の本発明に係る床暖房パネル構造は、直交した状態で配置された建物ユニット内でもフローリングの向きを変えることなく同じ向きで敷設することができるという優れた効果を有する。
【００２６】
請求項３記載の本発明に係る床暖房パネル構造は、床暖房パネルを備えた隣り合う複数の建物ユニットを、直交した状態でレイアウトしかつフローリングを建物ユニット間で連続して敷設ができるプランニングが可能になる。これにより、プランニングの自由度をより一層高めることができるという優れた効果を有する。
【００２７】
請求項４記載の本発明に係る床暖房パネル構造は、フローリングの敷設作業の施工性を向上できるという優れた効果を有する。
【００２８】
請求項５記載の本発明に係る床暖房パネル構造は、床暖房パネルの敷設作業における施工期間（時間）の短縮化を図ることができるという優れた効果を有する。
【００２９】
請求項６記載の本発明に係る床暖房パネル構造は、自動釘打ち機等で施工することができるので、フローリングの敷設作業の施工期間（時間）を格段に短縮することができるという優れた効果を有する。
【００３０】
請求項７記載の本発明に係る床暖房パネル構造は、ビス締めピッチが異なるビス締め機を使用できるので、床暖房パネルの敷設作業の施工性が向上するという優れた効果を有する。
【００３１】
請求項８記載の本発明に係る床暖房パネル構造は、第１床暖房パネルと第２床暖房パネルとでは同じ固定点で固定するため、設定を変更することなく自動ビス締め機等の機械により建物ユニットに搬入、敷設することができる。これにより、床暖房パネルの敷設作業の施工性が向上するという優れた効果を有する。
【図面の簡単な説明】
【００３２】
【図１】一実施形態に係る建物を概略的に示した外観斜視図である。
【図２】図１に示される建物の一部の床を示すＡ線矢視部の拡大図である。
【図３】一実施形態に係る第１床暖房パネルの拡大平面図である。
【図４】一実施形態に係る第２床暖房パネルの拡大平面図である。
【図５】図３の１−１線断面図である。
【図６】一実施形態に係る床暖房パネルと建物ユニットとの固定点を示す平面図である。
【図７】対比例の床暖房パネルを配置した建物の一部の床を表す部分平面図である。
【発明を実施するための形態】
【００３３】
以下、図１〜図７を用いて、本発明に係る床暖房パネル構造の一実施形態について説明する。
【００３４】
図１には、建物１０の外観斜視図が示されている。この図に示されるように、建物１０は基礎１２と、基礎１２上に設けられた一階部分１４と、一階部分１４の上に設けられた二階部分１６と、二階部分１６の上に設けられた屋根１８とによって構成されている。
【００３５】
一階部分１４は、複数の箱型の建物ユニット２０を組み合わせることにより構成されている。具体的には、３個の平行ユニット２２を長辺側が接するように連続して配置し、これに直交するかたちで２個の直交ユニット２６を短辺側が接するように連続して配置することにより、一階部分１４が構成されている。平行ユニット２２同士、直交ユニット２６同士及び平行ユニット２２と直交ユニット２６は、図示しないドッキングプレート等によって水平方向で相互に連結されている。また、二階部分１６も同様の構成とされており、上下方向にもユニット同士は相互に連結されている。
【００３６】
この平行ユニット２２は、ラーメン構造で箱型に組まれたフレームを備えている。具体的には、平行ユニット２２の四隅に立設された柱３０と、柱３０の上端部同士を連結する長短二種類の天井大梁３８と、柱３０の下端部同士を連結する長短二種類の床大梁３４と、によって構成されている。また、直交ユニット２６も、向きが異なるのみで構造的には平行ユニット２２と同様に構成されている。
【００３７】
図２は、図１の一階部分１４における平行ユニット２２及び直交ユニット２６を図１の矢印Ａ方向から見たときの床部の拡大図である。平行ユニット２２の床２４は、複数枚の第１床暖房パネル４０が敷設され、更にその上面に床仕上げ材としてフローリング８８が敷設される構成となっている。なお、図２の第１床暖房パネル４０は、表面板４２（図３参照）を省略して図示している。
【００３８】
この第１床暖房パネル４０は矩形平板状に構成されており、長辺側の寸法は平行ユニット２２の床２４の短辺側の寸法と略同一に設定されている。また、第１床暖房パネル４０の短辺側の寸法は、図２に示されるように７枚の第１床暖房パネル４０を長辺側に連続して敷設したときに床２４の長辺側の寸法と略同一になるように設定されている。なお、第１床暖房パネル４０のサイズは実際には大小２種類あり、本実施形態では小さいサイズのものが使用されている。
【００３９】
さらに、平行ユニット２２の柱３０に隣接して敷設される第１床暖房パネル４０の柱３０に接する角部には、あらかじめ柱３０との干渉を避けるための切欠が形成されている。これにより、第１床暖房パネル４０を複数枚（本実施形態では７枚）長辺側で隣接するように敷設されることで、平行ユニット２２の床２４に第１床暖房パネル４０が隙間無く敷設されている。
【００４０】
図３に示されるように、第１床暖房パネル４０は、パネルの底部を構成する矩形平板状の基板４４と、蛇行状に配設される放熱体４６と、基板４４に彫り込まれかつ放熱体４６が収容される溝５０と、隣り合う溝５０同士の間とパネルの外枠とに設けられる釘打ち可能部５６と、放熱体４６及び溝５０を覆うように室内側に設けられる表面板４２と、により構成されている。
【００４１】
第１床暖房パネル４０の溝５０は、直線部５２とＵターン部５４とにより蛇行形状を成している。また、溝５０の幅の寸法は、溝５０内に埋設される放熱体４６に接する程度の最小限の大きさとされている（図３では放熱体４６を簡略化して示している）。放熱体４６における温水出入口４８には、図示しない複数の配管が接続されている。この一方の配管から高温の温水が供給されると、温水は管状の放熱体４６内を通りながら放熱する。そして、放熱により低温となった温水が温水出入口４８へ戻り他方の配管へと流れ、再度加熱されて循環する構成となっている。
【００４２】
第１床暖房パネル４０における釘打ち可能部５６は、パネルの四辺に設けられた外周部５８と、溝５０の直線部５２とそれと隣り合う溝５０の直線部５２との間に直線部５２に沿うように設けられた中間部６０と、によって構成されている。この中間部６０と溝５０の直線部５２とは、第１床暖房パネル４０の長辺方向に沿ってかつそれぞれが平行に所定の間隔をあけて配置されている。
【００４３】
また、図５に示されるように、表面板４２は、放熱体４６を覆う様に基板４４の上面に設けられている。この表面板４２の表面において、釘打ち可能部５６に対応する部分に、他の部分と異なる色彩を施すことで、基板４４に表面板４２を取り付けた状態でも外観から釘打ち可能部５６が識別可能となる。そして、床仕上げ材であるフローリング８８は、表面板４２の上面に敷設される。この際、図２に示されるように、フローリング８８の長手方向と第１床暖房パネル４０の中間部６０は直交した状態で配置されている。
【００４４】
次に、直交ユニット２６に敷設される第２床暖房パネルについて説明する。図２に示されるように、直交ユニット２６の床２８は、複数枚の第２床暖房パネル６２が敷設され、さらにその上面に床仕上げ材としてフローリング８８が敷設される構成となっている。なお、図２の第２床暖房パネル６２は、表面板６８（図４参照）を省略して図示している。
【００４５】
第２床暖房パネル６２は、第２床暖房小パネル６４と、第２床暖房大パネル６６の二種類を備えている。この第２床暖房小パネル６４は矩形平板状に構成されており、長辺側の寸法及び短辺側の寸法は、第１床暖房パネル４０と同一となっている。また、第２床暖房大パネル６６は、第２床暖房小パネル６４に対し短辺側の寸法が２倍に設定されているのみで他は第２床暖房小パネル６４と同一の寸法となっている。
【００４６】
さらに、直交ユニットの柱３０に隣接して敷設される第２床暖房小パネル６４の柱３０に接する角部には、第１床暖房パネル４０と同様に、あらかじめ柱３０との干渉を避けるための切欠きが形成されている。これにより、第２床暖房パネル６２を複数枚（本実施形態では第２床暖房大パネル６６を２枚、第２床暖房小パネル６４を３枚の計５枚）長辺側で隣接するように敷設されることで、直交ユニット２６の床２８に第２床暖房パネル６２が隙間無く敷設されている。
【００４７】
なお、平行ユニット２２と直交ユニット２６の空間は、連続して繋がった空間となっており、平行ユニットの床２４と直交ユニットの床２８は連続した床面となっている。
【００４８】
図４（Ａ）、（Ｂ）には、第２床暖房小パネル６４と第２床暖房大パネル６６とが拡大して示されている。なお、第２床暖房大パネル６６において、第２床暖房小パネル６４と同一構成部分については、同一符号を付してその説明を省略する。
【００４９】
第２床暖房小パネル６４は、パネルの底部を構成する矩形平板状の基板７０と、蛇行状に配設された放熱体７２と、基板７０に彫り込まれかつ放熱体７２が収容される溝７６と、隣り合う溝７６同士の間とパネルの外枠とに設けられる釘打ち可能部８２と、放熱体７２及び溝７６を覆うように室内側に設けられる表面板６８と、により構成されている。
【００５０】
第２床暖房パネル６２の溝７６は、第１床暖房パネル４０と同様に、直線部７８とＵターン部８０とにより蛇行形状を成している。また、溝７６の幅の寸法は、溝７６内に埋設される放熱体７２に接する程度の最小限の大きさとされている（図４では放熱体７２を簡略化して示している）。放熱体７２における温水出入口７４には、第１床暖房パネル４０と同様に、図示しない複数の配管が接続されており、温水が循環する構成となっている。
【００５１】
第２床暖房小パネル６４における釘打ち可能部８２は、パネルの四辺に設けられた外周部８４と、溝７６の直線部７８とそれと隣り合う溝７６の直線部７８との間に直線部７８に沿うように設けられた中間部８６と、によって構成されている。この中間部８６と溝７６の直線部７８とは、第２床暖房小パネル６４の短辺側に沿ってかつそれぞれが平行に所定の間隔を保持するよう配置されている。なお、第２床暖房大パネル６６も同様の構成となっている。
【００５２】
また、表面板６８は、放熱体７２を覆うように基板７０の上面に設けられている。この表面板６８の表面も、釘打ち可能部８２に対応する部分に、他の部分と異なる色彩が施されている。そして、床仕上げ材であるフローリング８８は、表面板６８の上面に敷設される。この際、図２に示されるように、フローリング８８の長手方向と第２床暖房パネル６２の中間部８６は直交した状態で配置されている。
【００５３】
図２に示されるように、複数枚の第１床暖房パネル４０が敷設された平行ユニット２２と、複数枚の第２床暖房パネル６２が敷設された直交ユニット２６は、互いに直交した状態で配置される。ここで、一般に第１床暖房パネル４０及び第２床暖房パネル６２は平面視での外形が矩形状に形成されており、各床暖房パネルの長辺側が建物ユニット２０の短辺側に沿うように敷設される。このため、第１床暖房パネル４０と第２床暖房パネル６２は直交した状態で配置される。
【００５４】
（本実施形態の作用・効果）
次に、本実施形態の作用並びに効果を説明する。
【００５５】
第１床暖房パネル４０は、長辺方向に沿った溝７６の直線部５２と、それと平行に釘打ち可能部５６の中間部６０が設けられている。第２床暖房パネル６２は、短辺方向に沿った溝７６の直線部７８と、それと平行に釘打ち可能部８２の中間部８６が設けられている。これにより、第１床暖房パネル４０の中間部６０と、第２床暖房パネル６２の中間部８６とは、同じ向きに平行に揃いかつ所定間隔で多数連続して配置される。
【００５６】
また、一般に、床暖房パネルの上面にフローリングが敷設される際は、フローリングの長手方向と床暖房パネルの釘打ち可能部とが直交した状態となるように配置される。これによって、フローリングの長手方向端部の釘打ち部と、床暖房パネルの釘打ち可能部が重なる。従って、釘打ちが可能となり、フローリングが配設できるようになる。ここで、本実施形態では、フローリング８８が敷設される際には、第１床暖房パネル４０の上面でフローリング８８の長手方向と釘打ち可能部５６の中間部６０とが直交した状態となる向きにフローリング８８が敷設される。そして、同じ向きのフローリング８８が第２床暖房パネル６２の上面に配置されても、フローリング８８の長手方向と、第２床暖房パネル６２の中間部８６とは、直交した状態となる。従って、フローリング８８の長手方向端部と、第１床暖房パネル４０の中間部６０及び第２床暖房パネル６２の中間部８６とは重なるので、釘９２を打つことが可能となる。これにより、フローリング８８が平行ユニット２２と直交ユニット２６間で向きを変えることなく同じ向きで連続して敷設されるようになる。さらに、床暖房パネル構造を備えた隣り合う複数の建物ユニット２０を、直交した状態でレイアウトしかつフローリング８８を建物ユニット２０の間で連続して敷設ができるプランニングが可能になる。よってプランニングの自由度をより一層高めることができる。
【００５７】
また、第１床暖房パネル４０の釘打ち可能部５６と第２床暖房パネル６２の釘打ち可能部８２は、第１床暖房パネル４０の表面板４２及び前記第２床暖房パネル６２の表面板６８に施された図示しない色彩により識別可能とされている。これにより、フローリング８８の敷設作業の施工性を向上できる。
【００５８】
さらに、図６に示されるように、第２床暖房大パネル６６は、建物ユニット２０の床梁３２である床大梁３４及び床小梁３６に固定されている。なお、図示を省略するが、第１床暖房パネル４０及び第２床暖房小パネル６４も同様に床大梁３４及び床小梁３６に固定される。従って、第１床暖房パネル４０及び第２床暖房パネル６２を建物ユニット２０に敷設する際は、建物ユニット２０を製造する工場にて同時に敷設することが可能となる。これにより、床暖房パネルの敷設作業における施工期間（時間）の短縮化を図ることができる。
【００５９】
また、図２に示されるように、第１床暖房パネル４０に設けられた釘打ち可能部５６及び第２床暖房パネル６２に設けられた釘打ち可能部８２同士は、一定の間隔で設置されている。従って、フローリング８８を敷設する際は、自動釘打ち機等で施工することが可能となる。これにより、フローリング８８の敷設作業における施工期間（時間）を格段に短縮することができる。
【００６０】
さらに、図６に示されるように、第２床暖房大パネル６６が建物ユニット２０に敷設される場合、第２床暖房大パネル６６が建物ユニット２０の床大梁３４及びこれに対向する長辺側の床大梁３４との間に架け渡される床小梁３６にビス９０で締結することで固定される。なお、図示を省略するが、第１床暖房パネル４０及び第２床暖房小パネル６４も同様に床大梁３４と床小梁３６にビス９０で締結することで固定される。このビス締め位置は、第１床暖房パネル４０の釘打ち可能部５６と第２床暖房パネル６２の釘打ち可能部８２に設定される。
【００６１】
ここで、一般にこの自動ビス締め機は、建物ユニット２０の短辺側に沿ってビス締め装置が一定のピッチで複数設置されており、これらが同時に締め付けを行うことで、床暖房パネルの長辺方向で同時に複数のビスが締められる。しかしながら、組立を行う工場によっては、設備及び装置の違い等から、自動ビス締め機によるビス締め位置のピッチが同一とならず異なる場合がある。すなわち、自動ビス締め機の違いにより図６中のピッチＡ若しくは、ピッチＢでビス締めされる可能性がある。この点を考慮し、第２床暖房大パネル６６は、第２床暖房大パネル６６の中心部にパネル長辺方向に沿って釘打ち可能部８２の中間部８６を設けたことにより、長辺方向にビス締め付け点のピッチが異なる自動ビス締め機も使用可能となる。これにより、床暖房パネルの敷設作業の施工性が向上する。
【００６２】
また、第１床暖房パネル４０と第２床暖房パネル６２においては、小さいサイズである第１床暖房パネル４０と第２床暖房パネル６２の小さいサイズである第２床暖房小パネル６８とは同一のサイズにされている。さらに、説明を省略した第１床暖房パネルの大きいサイズのパネルと第２床暖房パネル６２の大きいサイズである第２床暖房大パネル６６とは同一のサイズにされている。これにより、第１床暖房パネル４０と第２床暖房パネル６２は同じ固定点で固定されるため、設定を変更することなく自動ビス締め機等の機械により建物ユニットに搬入、敷設することができる。従って、床暖房パネルの敷設作業の施工性が向上する。
【００６３】
ここで、図７を用いて対比例に係る床暖房パネルについて説明する。平行ユニット２２と直交ユニット２６の床部には、第１床暖房パネル４０が敷設されている。平行ユニット２２と直交ユニット２６が直交した状態で配設される場合、平行ユニット２２に敷設された第１床暖房パネル４０の中間部１６０と、直交ユニット２６に敷設された第１床暖房パネル４０の中間部１６０とは、直交した状態となる。そのため、フローリング８８を敷設する場合、直交ユニット２６側において、フローリング８８の長手方向端部の釘打ち部と、第１床暖房パネル４０の中間部１６０とが重ならず、釘打ちができない箇所が生じる。これにより、直交ユニット２６側ではフローリング８８の向きを中間部１６０と直交した状態となるように変更する必要があり、連続してフローリング８８を敷設することができない。
【００６４】
これに対し、本実施形態の床暖房パネルでは、図３、図４に示されるように、第１床暖房パネル４０の中間部６０と、第２床暖房パネル６２の中間部８６とは、それぞれのパネルが同一の向きの場合交差するよう配置されている。この為、図２に示されるように、第１床暖房パネル４０と第２床暖房パネル６２が直交した状態で配置される場合において、第１床暖房パネル４０の中間部６０と、第２床暖房パネル６２の中間部８６とは、平行にかつ所定の間隔で多数連続して配置可能となる。従って、フローリング８８を平行ユニット２２から直交ユニット２６にかけて向きを変更することなく連続して敷設することが可能となる。また、自動釘打ち機等でフローリングの施工が可能となるため、施工性が向上する。
【００６５】
なお、本実施形態では、溝５０及び溝７６は放熱体４６及び放熱体７２に接する程度の最小限の大きさに設定されているが、これに限らず、溝５０及び溝７６の大きさは本発明の主旨を逸脱しない範囲で変更可能である。
【００６６】
以上、本発明の一実施形態について説明したが、本発明は、上記に限定されるものでなく、その主旨を逸脱しない範囲内において上記以外にも種々変形して実施することが可能であることは勿論である。
【符号の説明】
【００６７】
２０    建物ユニット
３２    床梁
４０    第１床暖房パネル
４２    表面板
４６    放熱体
５０    溝
５２    直線部
５６    釘打ち可能部
６２    第２床暖房パネル
６６    第２床暖房大パネル
６８    表面板
７２    放熱体
７６    溝
７８    直線部
８２    釘打ち可能部
【図１】
2014149125.tif 000003
【図２】
2014149125.tif 000004
【図３】
2014149125.tif 000005
【図４】
2014149125.tif 000006
【図５】
2014149125.tif 000007
【図６】
2014149125.tif 000008
【図７】
2014149125.tif 000009